(57)【要約】【課題】投影装置を外部装置に通信接続する際の手間を省き、ユーザの利便性を向上させる。【解決手段】投影装置２によれば、第１の通信部２４１は、外部ＡＰ３とＷｉ−Ｆｉ接続された携帯端末１から外部ＡＰ３に対応する接続情報をＢＬＥ通信により受信し、第２の通信部２４２は、第１の通信部２４１により受信されたＷｉ−Ｆｉ接続情報に基づいて、外部ＡＰ３とＷｉ−Ｆｉ接続を行う。【選択図】図４
2019062326.tif 000002
【特許請求の範囲】
【請求項１】
第１の通信方式により通信を行う第１の通信手段と、
前記第１の通信方式とは異なる第２の通信方式により通信を行う第２の通信手段と、
前記第１の通信手段及び前記第２の通信手段を制御する制御手段と、
を備え、
前記制御手段は、前記第１の通信手段により、外部装置と前記第２の通信方式による通信接続が可能な端末装置から前記外部装置に接続するための接続情報を受信させ、前記第２の通信手段により、前記第１の通信手段により受信された前記接続情報に基づいて、前記外部装置と通信接続を行わせる通信装置。
【請求項２】
前記接続先情報を間接的に入力する操作部を更に備える請求項１に記載の通信装置。
【請求項３】
前記外部装置は、前記第２の通信方式による無線通信のアクセスポイントである請求項１又は２に記載の通信装置。
【請求項４】
前記第２の通信方式は、前記第１の通信方式よりも大容量のデータ通信が可能な通信方式である請求項１〜３の何れか一項に記載の通信装置。
【請求項５】
前記投影装置に係る設定情報は、外部の入力装置を用いて入力される請求項１〜４のいずれか一項に記載の通信装置。
【請求項６】
前記制御手段は、前記第２の通信手段により前記外部装置と通信接続が行われた後、前記第１の通信手段により、前記投影装置の識別情報を示すビーコン情報を発信し、当該ビーコン情報を受信した前記外部装置と未接続の端末装置からの要求に応じて、前記外部装置に対応する接続情報を送信する請求項１〜５のいずれか一項に記載の通信装置。
【請求項７】
請求項１〜６のいずれか一項に記載の通信装置を備える投影装置。
【請求項８】
前記制御手段は、前記外部装置に通信接続された前記端末装置から送信された投影用の画像データを前記外部装置を介して受信するよう前記第２の通信手段を制御し、
前記第２の通信手段により受信された画像データに基づいて画像の投影を行う投影手段をさらに備える請求項７に記載の投影装置。
【請求項９】
第１の通信方式により無線通信を行う第１の通信手段と、前記第１の通信方式とは異なる第２の通信方式により無線通信を行う第２の通信手段と、を備える通信装置における通信接続方法であって、
前記第１の通信手段により、外部装置と前記第２の通信方式による通信接続が可能な端末装置から前記外部装置に接続するための接続情報を受信する工程と、
前記第２の通信手段により、前記第１の通信手段により受信された前記接続情報に基づいて、前記外部装置と通信接続を行う工程と、
を含む通信接続方法。
【請求項１０】
第１の通信方式により無線通信を行う第１の通信手段と、前記第１の通信方式とは異なる第２の通信方式により無線通信を行う第２の通信手段と、を備える通信装置に用いられるコンピュータを、
前記第１の通信手段により、外部装置と前記第２の通信方式による通信接続が可能な端末装置から前記外部装置に接続するための接続情報を受信させ、前記第２の通信手段により、前記第１の通信手段により受信された前記接続情報に基づいて、前記外部装置と通信接続を行わせる制御手段、
として機能させるためのプログラム。
【発明の詳細な説明】
【技術分野】
【０００１】
本発明は、通信装置、投影装置、通信接続方法、及びプログラムに関する。
【背景技術】
【０００２】
従来、会議室管理装置に無線接続された端末装置からの指示に基づいて、会議室管理装置からプロジェクタに投影する画像を送信する技術が知られている（例えば、特許文献１参照）。
【先行技術文献】
【特許文献】
【０００３】
【特許文献１】特開２０１７−４１７１０号公報
【発明の概要】
【発明が解決しようとする課題】
【０００４】
特許文献１に記載の技術では、会議室管理装置からＬＡＮを介してプロジェクタに投影する画像を送信しているが、例えば、端末装置においてインターネット等を介して画像データを取得して、取得した画像データを順次無線通信により投影装置に送信して投影を行うような場合、端末装置が通信接続されている外部装置（アクセスポイント）に投影装置を通信接続させる必要がある。投影装置を外部装置に通信接続させるには、外部装置への接続情報を投影装置に設定する必要がある。この場合、操作性の低い投影装置本体の操作部での操作による接続操作か、一対一対応で端末装置と投影装置を無線接続させて端末装置側で投影装置が外部装置に接続するための接続情報を入力して投影装置と外部装置とを通信接続させた後、端末装置側で改めて外部装置に通信接続するための接続情報を入力する操作を行わなければならず、非常に手間がかかっていた。
【０００５】
本発明は、このような問題点に鑑みてなされたものであり、投影装置を外部装置に通信接続する際の手間を省き、ユーザの利便性を向上させることを目的とする。
【課題を解決するための手段】
【０００６】
上記課題を解決するため、請求項１に記載の発明の通信装置は、
第１の通信方式により通信を行う第１の通信手段と、
前記第１の通信方式とは異なる第２の通信方式により通信を行う第２の通信手段と、
前記第１の通信手段及び前記第２の通信手段を制御する制御手段と、
を備え、
前記制御手段は、前記第１の通信手段により、外部装置と前記第２の通信方式による通信接続が可能な端末装置から前記外部装置に接続するための接続情報を受信させ、前記第２の通信手段により、前記第１の通信手段により受信された前記接続情報に基づいて、前記外部装置と通信接続を行わせる。
【発明の効果】
【０００７】
本発明によれば、投影装置を外部装置に通信接続する際の手間を省き、ユーザの利便性を向上させることが可能となる。
【図面の簡単な説明】
【０００８】
【図１】投影システムの全体構成例を示す図である。
【図２】図１の携帯端末の機能的構成を示すブロック図である。
【図３】図１の投影装置の機能的構成を示すブロック図である。
【図４】投影処理の一連の流れを示す図である。
【図５】携帯端末接続処理の一連の流れを示す図である。
【発明を実施するための形態】
【０００９】
以下、添付図面を参照して本発明に係る実施形態を詳細に説明する。なお、本発明は、図示例に限定されるものではない。
【００１０】
［投影システム１００の構成］
図１は、本実施形態における投影システム１００の全体構成例を示す図である。
図１に示すように、投影システム１００は、携帯端末１と、投影装置２と、無線通信のアクセスポイントである外部ＡＰ（アクセスポイント）３と、を備えて構成されている。携帯端末１の台数は、特に限定されない。
【００１１】
投影システム１００においては、携帯端末１と投影装置２が共に外部ＡＰ３と通信接続することで、外部ＡＰ３を介して携帯端末１から投影用の画像データを投影装置２に送信して投影装置２に画像の投影を行わせることが可能である。また、携帯端末１が外部ＡＰ３を介してインターネットＮから画像データを取得して、取得した画像データに基づいて生成した投影用の画像データを外部ＡＰ３を介して順次投影装置２に送信して投影装置２に画像の投影を行わせることが可能である。
以下、投影システム１００を構成する各装置について説明する。
【００１２】
（携帯端末１）
携帯端末１は、例えば、スマートフォン、タブレット等の端末装置である。
図２は、携帯端末１の機能的構成を示すブロック図である。図２に示すように、携帯端末１は、ＣＰＵ（Central Processing Unit）１１、ＲＡＭ（Random Access Memory）１２、記憶部１３、操作部１４、表示部１５、通信部１６等を備えて構成されている。ＣＰＵ１１と各部はバスにより接続されている。
【００１３】
ＣＰＵ１１は、記憶部１３に記憶されている各種のプログラムを実行して所定の演算や各部の制御を行うプロセッサである。例えば、ＣＰＵ１１は、記憶部１３に記憶されているプログラムとの協働により、図４に示す投影処理及び図５に示す携帯端末接続処理の携帯端末１側の処理を実行する。
【００１４】
ＲＡＭ１２は、ＣＰＵ１１に作業用のメモリ空間を提供し、データを一時的に記憶する。
【００１５】
記憶部１３は、不揮発性の半導体メモリやハードディスク等により構成される。記憶部１３には、ＣＰＵ１１で実行されるシステムプログラムや各種処理アプリケーションプログラム、これらのプログラムの実行に必要なデータ等が記憶されている。
【００１６】
操作部１４は、各種機能キーを備え、ユーザによる各キーの押下入力を受け付けてその操作情報をＣＰＵ１１に出力する。また、操作部１４は、表示部１５の表面を覆うように透明電極を格子状に配置したタッチパネル等を有し、手指やタッチペン等による各種操作を検出し、その操作情報をＣＰＵ１１に出力する。  
【００１７】
表示部１５は、ＬＣＤ（Liquid Crystal Display）等により構成され、ＣＰＵ１１からの表示制御信号に従って、画面上に各種表示を行う。
【００１８】
通信部１６は、第１の通信部１６１と、第２の通信部１６２と、第３の通信部１６３とを備えて構成されている。
第１の通信部１６１は、小容量のデータ通信が可能な第１の通信方式により近接した外部機器と通信接続し、データ送受信を行う。本実施形態において、第１の通信方式は、ＢＬＥ（Bluetooth Low Energy。Bluetoothは登録商標）である場合を例として説明する。
第２の通信部１６２は、第１の通信方式よりも大容量のデータ通信が可能な第２の通信方式により外部ＡＰ３に通信接続し、外部ＡＰ３を介して外部機器とデータ送受信を行う。本実施形態において、第２の通信方式は、Ｗｉ−Ｆｉ（登録商標）である場合を例として説明する。
第３の通信部１６３は、移動体通信用の基地局又はアクセスポイントを介して移動体通信網を含む通信ネットワークに接続し、通信ネットワークに接続された外部機器とデータ送受信を行う。
【００１９】
（投影装置２）
図３は、投影装置２の機能的構成を示すブロック図である。図３に示すように、投影装置２は、ＣＰＵ２１、ＲＡＭ２２、記憶部２３、通信部２４、投影部２５、操作部２６等を備えて構成されている。ＣＰＵ２１と各部はバスにより接続されている。投影装置２は、通信装置としての機能を備える。
【００２０】
制御手段であるＣＰＵ２１は、記憶部２３に記憶されている各種のプログラムを実行して所定の演算や各部の制御を行うプロセッサである。例えば、ＣＰＵ２１は、記憶部２３に記憶されているプログラムとの協働により、図４に示す投影処理及び図５に示す携帯端末接続処理の投影装置２側の処理を実行する。
【００２１】
ＲＡＭ２２は、ＣＰＵ２１に作業用のメモリ空間を提供し、データを一時的に記憶する。
【００２２】
記憶部２３は、不揮発性の半導体メモリやハードディスク等により構成される。記憶部２３には、ＣＰＵ２１で実行されるシステムプログラムや各種処理プログラム、これらのプログラムの実行に必要なデータ等が記憶されている。
【００２３】
通信部２４は、第１の通信部２４１と、第２の通信部２４２と、を備えて構成されている。
第１の通信部２４１は、小容量のデータ通信が可能であり、第１の通信方式により近接した外部機器と通信接続し、データ送受信を行う。本実施形態において、第１の通信方式は、ＢＬＥである場合を例として説明する。
第２の通信部２４２は、第１の通信方式よりも大容量のデータ通信が可能な第２の通信方式により外部ＡＰ３に通信接続し、外部ＡＰ３を介して外部機器とデータ送受信を行う。本実施形態において、第２の通信方式は、Ｗｉ−Ｆｉ（登録商標）である場合を例として説明する。
【００２４】
投影部２５は、表示素子、光源、光源側光学系、投影光学系、冷却ファン等を備えて構成され、ＣＰＵ２１から出力された入力された画像データを映像光に変換して壁面やスクリーンに向けて照射することにより映像を投影する。
【００２５】
操作部２６は、電源スイッチを始めとする複数のスイッチ等を備えて構成され、ユーザの操作信号をＣＰＵ２１に出力する。
ここで、操作部２６は、文字や数値入力を直接行うためのキーボードや電子的なキーボードを表示可能なタッチパネル等を備えておらず操作性が低い。そのため、投影装置２に係る各種設定情報は、例えば、携帯端末１の操作部やリモコン等の外部の入力装置で間接的に入力する必要がある。
【００２６】
（外部ＡＰ３）
外部ＡＰ（アクセスポイント）３は、自装置にＷｉ−Ｆｉ接続された外部機器を相互に接続したり、他の通信ネットワーク（インターネットＮ等）に接続したりする外部装置である。
【００２７】
［投影システム１００の動作］
次に、投影システム１００の動作について説明する。
図４は、携帯端末１から外部ＡＰ３を介して投影装置２に投影用の画像データを送信して投影する処理（投影処理と呼ぶ）の一連の流れを示す図である。以下、図４を参照して、投影処理について説明する。
【００２８】
まず、携帯端末１は、第２の通信部１６２により外部ＡＰ３にＷｉ−Ｆｉ接続要求を行う（ステップＳ１）。
例えば、携帯端末１は、表示部１５にＷｉ−Ｆｉ設定画面を表示し、Ｗｉ−Ｆｉ設定画面から操作部１４により外部ＡＰ３のＳＳＩＤ及びパスフレーズ等のＷｉ−Ｆｉ接続情報が入力されると、入力されたＷｉ−Ｆｉ接続情報に基づいて、第２の通信部１６２により外部ＡＰ３にＷｉ−Ｆｉ接続要求を行う。
【００２９】
外部ＡＰ３においては、携帯端末１からＷｉ−Ｆｉ接続要求を受信すると、Ｗｉ−Ｆｉ接続情報に基づいて、携帯端末１とＷｉ−Ｆｉ接続を行う（ステップＳ２、Ｓ３）。
【００３０】
携帯端末１は、外部ＡＰ３へのＷｉ−Ｆｉ接続が完了すると、投影装置２とＢＬＥによりペアリングするためのペアリングアプリを起動し（ステップＳ４）、第１の通信部１６１により投影装置２にＢＬＥ接続要求を行う（ステップＳ５）。
【００３１】
投影装置２においては、携帯端末１からのＢＬＥ接続要求を受信すると、第１の通信部２４１により携帯端末１とＢＬＥによる接続を行う（ステップＳ６）。
【００３２】
携帯端末１は、投影装置２とのＢＬＥ接続が完了すると、投影装置２を外部ＡＰ３（Ｗｉ−Ｆｉ）に接続するか否かを問い合わせる画面を表示部１５に表示し、投影装置２を外部ＡＰ３に接続する指示が操作部１４により検出されると（ステップＳ７；ＹＥＳ）、ステップＳ１で外部ＡＰ３にＷｉ−Ｆｉ接続する際に使用したＷｉ−Ｆｉ接続情報（ＳＳＩＤ、パスフレーズ等）を第１の通信部１６１により投影装置２に送信する（ステップＳ８）。
【００３３】
投影装置２においては、第１の通信部２４１により携帯端末１から送信されたＷｉ−Ｆｉ接続情報を受信すると（ステップＳ９）、第２の通信部２４２により、携帯端末１から受信したＷｉ−Ｆｉ接続情報を用いて外部ＡＰ３にＷｉ−Ｆｉ接続要求を行う（ステップＳ１０）。
【００３４】
外部ＡＰ３においては、投影装置２からＷｉ−Ｆｉ接続要求を受信すると、投影装置２とＷｉ−Ｆｉ接続を行う（ステップＳ１１、Ｓ１２）。
【００３５】
携帯端末１においては、第２の通信部１６２により外部ＡＰ３を介して投影装置２に画像投影指示を送信する（ステップＳ１３）。そして、投影用の画像データを第２の通信部１６２により外部ＡＰ３を介して投影装置２に送信する（ステップＳ１４）。
ここで、携帯端末１から投影装置２へ送信する画像データは、携帯端末１の記憶部１３に記憶されている投影用の画像データであってもよいし、外部ＡＰ３を介してインターネットＮから取得した画像データに基づいて生成した投影用の画像データであってもよい。
【００３６】
外部ＡＰ３においては、携帯端末１から送信された画像データを投影装置２に転送する（ステップＳ１５）。
【００３７】
投影装置２においては、第２の通信部２４２により携帯端末１から送信された画像データを受信する（ステップＳ１６）。そして、受信した画像データに基づいて、投影部２５により画像の投影を行う（ステップＳ１７）。
【００３８】
上記投影処理によれば、投影システム１００において、携帯端末１のＣＰＵ１１は、第２の通信部１６２により外部ＡＰ３へのＷｉ−Ｆｉ接続が行われると、ペアリングアプリを起動して第１の通信部１６１により投影装置２にＢＬＥ接続し、外部ＡＰ３にＷｉ−Ｆｉ接続した際に使用したＷｉ−Ｆｉ接続情報を第１の通信部１６１によってＢＬＥ通信により投影装置２に送信する。投影装置２のＣＰＵ２１は、第１の通信部２４１により携帯端末１からＷｉ−Ｆｉ接続情報を受信すると、受信したＷｉ−Ｆｉ接続情報に基づいて、第２の通信部２４２により外部ＡＰ３にＷｉ−Ｆｉ接続要求を行い、外部ＡＰ３にＷｉ−Ｆｉ接続する。
【００３９】
したがって、ユーザは、携帯端末１から外部ＡＰ３にＷｉ−Ｆｉ接続する際にＷｉ−Ｆｉ接続情報を入力する操作を行うだけで、投影装置２についても自動的に外部ＡＰ３にＷｉ−Ｆｉ接続されるので、従来のように、投影装置２において操作性の低い操作部２６でＷｉ−Ｆｉ接続操作を行ったり、携帯端末１で投影装置２を外部ＡＰ３にＷｉ−Ｆｉ接続するための入力操作を行った後、自装置を外部ＡＰ３にＷｉ−Ｆｉ接続するための入力操作を行ったりする等の手間を省くことができ、ユーザの利便性を向上させることができる。また、煩雑な接続操作を省略できるため、投影装置２への画像データ送信及び投影を迅速に行うことが可能となる。
【００４０】
次に、投影装置２を外部ＡＰ３にＷｉ−Ｆｉ接続した後、外部ＡＰ３にＷｉ−Ｆｉ接続されていない携帯端末１を自動的に外部ＡＰ３にＷｉ−Ｆｉ接続して、外部ＡＰ３を介して投影装置２とその携帯端末１を無線通信可能とするための処理（携帯端末接続処理と呼ぶ）の流れについて説明する。
【００４１】
図５は、携帯端末接続処理の一連の流れを示す図である。以下、図５を参照して、携帯端末接続処理について説明する。
まず、投影装置２は、第２の通信部２４２により外部ＡＰ３にＷｉ−Ｆｉ接続要求を行う（ステップＳ２１）。なお、投影装置２により外部ＡＰ３にＷｉ−Ｆｉ接続要求を行うためにＷｉ−Ｆｉ接続情報を設定する手法は特に限定されないが、例えば、図４に示すステップＳ１〜ステップＳ９までの処理により行うことができる。
【００４２】
外部ＡＰ３においては、投影装置２からＷｉ−Ｆｉ接続要求を受信すると、投影装置２とＷｉ−Ｆｉ接続を行う（ステップＳ２２、Ｓ２３）。
【００４３】
次いで、投影装置２は、第１の通信部２４１によりビーコン情報を発信（ブロードキャスト）する（ステップＳ２４）。ここで投影装置２が発信するビーコン情報は、投影装置２を識別するための識別情報等である。
【００４４】
投影装置２のビーコン情報の通信エリア内の携帯端末１（例えば、投影装置２が設置されている会議室に移動してきた携帯端末１）は、第１の通信部１６１によりビーコン情報を受信すると（ステップＳ２５）、ペアリングアプリを起動し（ステップＳ２６）、第１の通信部１６１により投影装置２にＢＬＥ接続要求を行う（ステップＳ２７）。
【００４５】
投影装置２においては、携帯端末１からＢＬＥ接続要求を受信すると、第１の通信部２４１により携帯端末１とＢＬＥによる接続を行う（ステップＳ２８）。
【００４６】
携帯端末１は、投影装置２とのＢＬＥ接続が完了すると、Ｗｉ−Ｆｉ接続情報を投影装置２に要求するか否かを問い合わせる画面を表示部１５に表示する。Ｗｉ−Ｆｉ接続情報を投影装置２に要求する指示が操作部１４により検出されると（ステップＳ２９；ＹＥＳ）、携帯端末１は、第１の通信部１６１により投影装置２にＷｉ−Ｆｉ接続情報を要求する（ステップＳ３０）。
【００４７】
投影装置２において、第１の通信部２４１により携帯端末１からのＷｉ−Ｆｉ接続情報の要求を受信すると（ステップＳ３１）、ステップＳ２１で外部ＡＰ３にＷｉ−Ｆｉ接続する際に用いたＷｉ−Ｆｉ接続情報を第１の通信部２４１により送信元の携帯端末１に送信する（ステップＳ３２）。
【００４８】
携帯端末１においては、第１の通信部１６１により投影装置２からのＷｉ−Ｆｉ接続情報を受信すると（ステップＳ３３）、受信したＷｉ−Ｆｉ接続情報を用いて第２の通信部１６２により外部ＡＰ３にＷｉ−Ｆｉ接続要求を行う（ステップＳ３４）。
【００４９】
外部ＡＰ３においては、携帯端末１からＷｉ−Ｆｉ接続要求を受信すると、携帯端末１とＷｉ−Ｆｉ接続を行う（ステップＳ３５、Ｓ３６）。
【００５０】
上記携帯端末接続処理によれば、投影装置２のＣＰＵ２１は、外部ＡＰ３へのＷｉ−Ｆｉ接続が終了すると第１の通信部２４１によりビーコン情報を発信させる。投影装置２からのビーコン情報を受信した携帯端末１のＣＰＵ１１は、第１の通信部１６１により投影装置２とＢＬＥ接続し、投影装置２にＷｉ−Ｆｉ接続情報を要求する。投影装置２のＣＰＵ２１は、第１の通信部２４１により要求元の携帯端末１にＷｉ−Ｆｉ接続情報を送信する。携帯端末１のＣＰＵ１１は、投影装置２から受信したＷｉ−Ｆｉ接続情報を用いて第２の通信部１６２により外部ＡＰ３にＷｉ−Ｆｉ接続を行う。
【００５１】
したがって、投影装置２が外部ＡＰ３にＷｉ−Ｆｉ接続されている場合、外部ＡＰ３に未接続の携帯端末１が投影装置２に近づくだけで外部ＡＰ３にＷｉ−Ｆｉ接続することが可能となるので、ユーザは、外部ＡＰ３にＷｉ−Ｆｉ接続するための接続情報を入力する操作を行う手間なく、携帯端末１を外部ＡＰ３に接続して外部ＡＰ３を介して投影装置２に投影用の画像データ等を送信することが可能となり、ユーザの利便性を向上させることができる。
【００５２】
以上、本発明の実施形態について説明したが、上記実施形態における記述内容は、本発明に係る投影システムの好適な一例であり、これに限定されるものではない。
【００５３】
例えば、上記実施形態においては、端末装置が携帯端末である場合を例にとり説明したが、これに限定されず、例えばＰＣ（Personal Computer）やウェアラブルデバイス等としてもよい。
【００５４】
また、上記実施形態においては、本発明の第１の通信手段がＢＬＥによる通信手段、第２の通信手段がＷｉ−Ｆｉによる通信手段である場合を例にとり説明したが、第１の通信手段と第２の通信手段の通信方式は、上記実施形態に限定されるものではなく、他の通信方式としてもよい。
【００５５】
また、例えば、上記実施形態においては、投影装置２を携帯端末１が接続されているＷｉ−Ｆｉのアクセスポイントである外部ＡＰ３に通信接続する場合に適用した例について説明したが、本発明は、例えば、スピーカ、音響システム、電卓のような、操作部のない又は操作性の低い操作部しか備えられていない装置を携帯端末１が接続されている無線通信のアクセスポイントに通信接続する場合に適用してもよい。
【００５６】
また、上記実施形態においては、投影装置２は、外部ＡＰ３に通信接続された携帯端末１からＷｉ−Ｆｉ接続情報を受信する場合を例として説明したが、外部ＡＰ３へのＷｉ−Ｆｉ接続情報を記憶部１３に記憶し、外部ＡＰ３へのＷｉ−Ｆｉ接続が可能な携帯端末１から第１の通信部２４１によりＷｉ−Ｆｉ接続情報を受信することとしてもよい。
【００５７】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５８】
その他、投影システムを構成する各装置の細部構成及び細部動作に関しても、発明の趣旨を逸脱することのない範囲で適宜変更可能である。
【００５９】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
第１の通信方式により通信を行う第１の通信手段と、
前記第１の通信方式とは異なる第２の通信方式により通信を行う第２の通信手段と、
前記第１の通信手段及び前記第２の通信手段を制御する制御手段と、
を備え、
前記制御手段は、前記第１の通信手段により、外部装置と前記第２の通信方式による通信接続が可能な端末装置から前記外部装置に接続するための接続情報を受信させ、前記第２の通信手段により、前記第１の通信手段により受信された前記接続情報に基づいて、前記外部装置と通信接続を行わせる通信装置。
＜請求項２＞
前記接続先情報を間接的に入力する操作部を更に備える請求項１に記載の通信装置。
＜請求項３＞
前記外部装置は、前記第２の通信方式による無線通信のアクセスポイントである請求項１又は２に記載の通信装置。
＜請求項４＞
前記第２の通信方式は、前記第１の通信方式よりも大容量のデータ通信が可能な通信方式である請求項１〜３の何れか一項に記載の通信装置。
＜請求項５＞
前記投影装置に係る設定情報は、外部の入力装置を用いて入力される請求項１〜４のいずれか一項に記載の通信装置。
＜請求項６＞
前記制御手段は、前記第２の通信手段により前記外部装置と通信接続が行われた後、前記第１の通信手段により、前記投影装置の識別情報を示すビーコン情報を発信し、当該ビーコン情報を受信した前記外部装置と未接続の端末装置からの要求に応じて、前記外部装置に対応する接続情報を送信する請求項１〜５のいずれか一項に記載の通信装置。
＜請求項７＞
請求項１〜６のいずれか一項に記載の通信装置を備える投影装置。
＜請求項８＞
前記制御手段は、前記外部装置に通信接続された前記端末装置から送信された投影用の画像データを前記外部装置を介して受信するよう前記第２の通信手段を制御し、
前記第２の通信手段により受信された画像データに基づいて画像の投影を行う投影手段をさらに備える請求項７に記載の投影装置。
＜請求項９＞
第１の通信方式により無線通信を行う第１の通信手段と、前記第１の通信方式とは異なる第２の通信方式により無線通信を行う第２の通信手段と、を備える通信装置における通信接続方法であって、
前記第１の通信手段により、外部装置と前記第２の通信方式による通信接続が可能な端末装置から前記外部装置に接続するための接続情報を受信する工程と、
前記第２の通信手段により、前記第１の通信手段により受信された前記接続情報に基づいて、前記外部装置と通信接続を行う工程と、
を含む通信接続方法。
＜請求項１０＞
第１の通信方式により無線通信を行う第１の通信手段と、前記第１の通信方式とは異なる第２の通信方式により無線通信を行う第２の通信手段と、を備える通信装置に用いられるコンピュータを、
前記第１の通信手段により、外部装置と前記第２の通信方式による通信接続が可能な端末装置から前記外部装置に接続するための接続情報を受信させ、前記第２の通信手段により、前記第１の通信手段により受信された前記接続情報に基づいて、前記外部装置と通信接続を行わせる制御手段、
として機能させるためのプログラム。
【符号の説明】
【００６０】
１００  投影システム
１  携帯端末
１１  ＣＰＵ
１２  ＲＡＭ
１３  記憶部
１４  操作部
１５  表示部
１６  通信部
１６１  第１の通信部
１６２  第２の通信部
１６３  第３の通信部
２  投影装置
２１  ＣＰＵ
２２  ＲＡＭ
２３  記憶部
２４  通信部
２４１  第１の通信部
２４２  第２の通信部
２５  投影部
２６  操作部
３  外部ＡＰ
【図１】
2019062326.tif 000003
【図２】
2019062326.tif 000004
【図３】
2019062326.tif 000005
【図４】
2019062326.tif 000006
【図５】
2019062326.tif 000007